【手続補正書】
【提出日】平成16年5月20日(2004.5.20)
【手続補正１】
【補正対象書類名】明細書
【補正対象項目名】特許請求の範囲
【補正方法】変更
【補正の内容】
【特許請求の範囲】
【請求項１】
インスリン抵抗性改善物質を有効成分として含有する自己免疫疾患（但し、Ｉ型糖尿病を除く。）の予防剤又は治療剤。
【請求項２】
［請求項１］において、インスリン抵抗性改善物質がチアゾリジンジオン化合物、オキサゾリジンジオン化合物、イソキサゾリジンジオン化合物およびオキサジアゾリジンジオン化合物からなる群から選択された化合物である自己免疫疾患（但し、Ｉ型糖尿病を除く。）の予防剤又は治療剤。
【請求項３】
［請求項１］において、インスリン抵抗性改善物質がチアゾリジンジオン化合物から選択された化合物である自己免疫疾患（但し、Ｉ型糖尿病を除く。）の予防剤又は治療剤。
【請求項４】
［請求項１］において、インスリン抵抗性改善物質が一般式（Ｉ）
【化１】
1998212247.tif 000001
［式中、Ｒ1a及びＲ2aは同一又は異なって、水素原子又はＣ1 −Ｃ5 アルキル基を示し、
Ｒ3aは、水素原子、Ｃ1 −Ｃ6 脂肪族アシル基、Ｃ6 −Ｃ8 シクロアルキルカルボニル基、置換分を有していてもよいベンゾイル若しくはナフトイル基（該置換分は、Ｃ1−Ｃ4 アルキル、Ｃ1 −Ｃ4 アルコキシ、ヒドロキシ、ハロゲン原子、アミノ、モノ−Ｃ1−Ｃ4 アルキルアミノ、ジ−Ｃ1 −Ｃ4 アルキルアミノ又はニトロ基である。）、窒素原子、酸素原子および硫黄原子からなるヘテロ原子群から選択される１乃至３個のヘテロ原子を含有する４乃至７員複素環アシル基、フェニルアセチル基、フェニルプロピオニル基、少なくとも１個のハロゲン原子で置換されたフェニルアセチル若しくはフェニルプロピオニル基、シンナモイル基、Ｃ2−Ｃ7 アルコキシカルボニル基又はベンジルオキシカルボニル基を示し、
Ｒ4a及びＲ5aは、同一又は異なって、水素原子、Ｃ1 −Ｃ5 アルキル基若しくはＣ1−Ｃ5 アルコキシ基を示すか、又はＲ4a及びＲ5aが一緒になってＣ1 −Ｃ4アルキレンジオキシ基を示し、
Ｙa 及びＺa は、同一又は異なって、酸素原子又はイミノ基を示し、
ｎa は、１乃至３の整数を示す。］
を有する化合物又はその薬理上許容される塩である自己免疫疾患（但し、Ｉ型糖尿病を除く。）の予防剤又は治療剤。
【請求項５】
［請求項１］において、インスリン抵抗性改善物質が一般式（ＩＩ）
【化２】
1998212247.tif 000002
を有する化合物又はその薬理上許容される塩である自己免疫疾患（但し、Ｉ型糖尿病を除く。）の予防剤又は治療剤。
【請求項６】
［請求項１］において、インスリン抵抗性改善物質が一般式（ＩＩＩ）
【化３】
1998212247.tif 000003
［式中、破線は単一結合又は非結合を表し、ｎc は０、１又は２で、Ｘc はＯ、Ｓ、Ｓ＝Ｏ、Ｓ（＝Ｏ）（＝Ｏ）で、 Ｒc はＨ、ＣＨ3 又はＣ2 Ｈ5 であり、Ｒ1cは別個にはＨ、Ｃ5〜Ｃ7 シクロアルキル、Ｃ6 〜Ｃ8 メチル置換シクロアルキル、ピリジル、チエニル、フリル、ナフチル、ｐ−ビフェニリル、テトラヒドロフラニル、テトラヒドロチエニル、テトラヒドロピラニル、Ｃ6Ｈ4 Ｗ2c［Ｗ2cはＨ、ＯＨ、Ｆ、Ｃｌ、Ｂｒ、Ｃ1 〜Ｃ4アルキル、Ｃ1 〜Ｃ4 アルコキシ又はＣ1 〜Ｃ4 チオアルキルである］又はａｌｋ−Ｗ1c［ａｌｋはＣ1〜Ｃ6 アルキレン、エチリデン又はイソプロピリデンであり、Ｗ1cはＨ、ＯＨ、Ｃ1 〜Ｃ4アルコキシ、Ｃ1 〜Ｃ4 チオアルキル、ピリジル、フリル、チエニル、テトラヒドロフリル、テトラヒドロチエニル、ナフチル、Ｃ5〜Ｃ7 シクロアルキル又はＣ6 Ｈ4 Ｗ2cである］でＲ2cはＨ又はＣＨ3で、Ｒ3cはＨ、Ｃ1 〜Ｃ6 アルキル、Ｃ6 Ｈ4Ｗ2c又はベンジルで、Ｒ4cはＨであり、Ｒ1cとＲ2cが一緒になっている場合には、それらはＣ4〜Ｃ6 アルキレンを形成し、Ｒ3cとＲ4cはそれぞれＨであり、Ｒ3cとＲ4cが一緒になっている場合には、それらはＣ4〜Ｃ6 アルキレンを形成し、Ｒ1cとＲ2cはそれぞれＨであり、Ｒ2cとＲ3cが一緒になっている場合には、それらはＣ3〜Ｃ4 アルキレンを形成し、Ｒ1cとＲ4cはそれぞれＨである。］
を有する化合物又はその薬理上許容される塩である自己免疫疾患（但し、Ｉ型糖尿病を除く。）の予防剤又は治療剤。
【請求項７】
［請求項１］において、インスリン抵抗性改善物質が一般式（ＩＶ）
【化４】
1998212247.tif 000004
［式中、Ａ1dは置換又は未置換の芳香族複素環式基を表し；
Ｒ1dは水素原子、アルキル基、アシル基、アルアルキル基（式中、アリール部分は置換されていても又は未置換でもよい）又は置換又は未置換のアリール基を表し；
Ｒ2d及びＲ3dはそれぞれ水素を表すか又はＲ2d及びＲ3dは一緒になって結合を表し；
Ａ2dは合計で５個以内の置換基を有するベンゼン環を表し；そしてｎd は２〜６の範囲の整数を表す。］
を有する化合物又はその薬理上許容される塩である自己免疫疾患（但し、Ｉ型糖尿病を除く。）の予防剤又は治療剤。
【請求項８】
［請求項１］において、インスリン抵抗性改善物質が一般式（Ｖ）
【化５】
1998212247.tif 000005
［式中、
Ｒ1eは水素原子又は炭素数１ないし６個を有する直鎖状もしくは分枝鎖状のアルキル基を示し、
Ｒ2eは炭素数２ないし６個を有する直鎖状もしくは分枝鎖状のアルキレン基を示し、
Ｒ3eは水素原子、炭素数１ないし６個を有する直鎖状もしくは分枝鎖状のアルキル基、炭素数１ないし４個を有する直鎖状もしくは分枝鎖状のアルコキシ基、炭素数１ないし４個を有する直鎖状もしくは分枝鎖状のアルキルチオ基、ハロゲン原子、ニトロ基、アミノ基、炭素数１ないし４個を有する直鎖状もしくは分枝鎖状のモノアルキルアミノ基、同一もしくは異なって各アルキルが炭素数１ないし４個を有する直鎖状もしくは分枝鎖状のジアルキルアミノ基、炭素数６ないし１０個を有するアリール基又は炭素数７ないし１２個を有するアラルキル基を示し、
Ｘe は、１ないし３個の置換分αを有していてもよい炭素数６ないし１０個を有するアリール基又は１ないし３個の置換分αを有していてもよい複素芳香環基を示し、
ここに置換分αは （ｉ）炭素数１ないし６個を有する直鎖状もしくは分枝鎖状のアルキル基、 （ｉｉ）炭素数１ないし４個を有する直鎖状もしくは分枝鎖状のハロゲン化アルキル基、 （ｉｉｉ）ヒドロキシ基、 （ｉｖ）炭素数１ないし４個を有する直鎖状もしくは分枝鎖状のアシルオキシ基、 （ｖ）炭素数１ないし４個を有する直鎖状もしくは分枝鎖状のアルコキシ基、 （ｖｉ）炭素数１ないし４個を有する直鎖状もしくは分枝鎖状のアルキレンジオキシ基、 （ｖｉｉ）炭素数７ないし１２個を有するアラルキルオキシ基、 （ｖｉｉｉ）炭素数１ないし４個を有する直鎖状もしくは分枝鎖状のアルキルチオ基、 （ｉｘ）炭素数１ないし４個を有する直鎖状もしくは分枝鎖状のアルキルスルホニル基、（ｘ）ハロゲン原子、 （ｘｉ）ニトロ基、 （ｘｉｉ）アミノ基、 （ｘｉｉｉ）炭素数１ないし４個を有する直鎖状もしくは分枝鎖状のモノアルキルアミノ基、 （ｘｉｖ）同一もしくは異なって各アルキルが炭素数１ないし４個を有する直鎖状もしくは分枝鎖状のジアルキルアミノ基、 （ｘｖ）炭素数７ないし１２個を有するアラルキル基、 （ｘｖｉ）置換分βを有していてもよい炭素数６ないし１０個を有するアリール基、 （ｘｖｉｉ）置換分βを有していてもよい炭素数６ないし１０個を有するアリールオキシ基、 （ｘｖｉｉｉ）置換分βを有していてもよい炭素数６ないし１０個を有するアリールチオ基、 （ｘｉｘ）置換分βを有していてもよい炭素数６ないし１０個を有するアリールスルホニル基、 （ｘｘ）置換分βを有していてもよい炭素数６ないし１０個を有するアリールスルホニルアミノ基（アミノ部分の窒素原子は炭素数１ないし６個を有する直鎖状もしくは分枝鎖状のアルキルで置換されていてもよい）、 （ｘｘｉ）複素芳香環基、（ｘｘｉｉ）複素芳香環オキシ基、 （ｘｘｉｉｉ）複素芳香環チオ基、 （ｘｘｉｖ）複素芳香環スルホニル基、並びに （ｘｘｖ）複素芳香環スルホニルアミノ基（アミノ部分の窒素原子は炭素数１ないし６個を有する直鎖状もしくは分枝鎖状のアルキルで置換されていてもよい。）を示す。
ここに置換分βは炭素数１ないし６個を有する直鎖状もしくは分枝鎖状のアルキル、炭素数１ないし４個を有する直鎖状もしくは分枝鎖状のハロゲン化アルキル、炭素数１ないし４個を有する直鎖状もしくは分枝鎖状のアルコキシ、ハロゲン又は炭素数１ないし４個を有する直鎖状もしくは分枝鎖状のアルキレンジオキシを示し、
Ｙe は酸素原子、硫黄原子又は式 ＞Ｎ−Ｒ4eを有する基（式中、Ｒ4eは水素原子、炭素数１ないし６個を有する直鎖状もしくは分枝鎖状のアルキル基又は炭素数１ないし８個を有する直鎖状もしくは分枝鎖状のアシル基を示す。）を示し、
Ｚe は２，４−ジオキソチアゾリジン−５−イリデニルメチル基、２，４−ジオキソチアゾリジン−５−イルメチル基、２，４−ジオキソオキサゾリジン−５−イルメチル基又は３，５−ジオキソオキサジアゾリジン−２−イルメチル基を示す。］
を有するオキシム誘導体又はその薬理上許容される塩である自己免疫疾患（但し、Ｉ型糖尿病を除く。）の予防剤又は治療剤。
【請求項９】
［請求項１］において、インスリン抵抗性改善物質が一般式（ＶＩ）
【化６】
1998212247.tif 000006
［式中、Ｒf は置換されてもよい芳香族炭化水素基、置換されてもよい環式脂肪族炭化水素基、置換されてもよい複素環基、置換されてもよい縮合複素環基、又は下記一般式
【化７】
1998212247.tif 000007
（式中、Ｒ1fは置換されてもよい芳香族炭化水素基、置換されてもよい環式脂肪族炭化水素基、置換されてもよい複素環基又は置換されてもよい縮合複素環基であり、Ｒ2f及びＲ3fは同一又は異なっていてもよくそれぞれ水素原子又は低級アルキル基であり、Ｘf は酸素原子、硫黄原子又は二級アミノ基である）で表される基であり、Ｒ4fは水素原子又は低級アルキル基であり、Ｒ5fは低級アルキルであり、Ｐf及びＱf はそれぞれ水素原子であるか又はＰf とＱf は一緒になって結合を表す。］
を有するイソオキサゾリジンジオン誘導体又はその薬理上許容される塩である自己免疫疾患（但し、Ｉ型糖尿病を除く。）の予防剤又は治療剤。
【請求項１０】
［請求項１］において、インスリン抵抗性改善物質が一般式（ＶＩＩ）
【化８】
1998212247.tif 000008
［式中、
Ｘg はインドール環基、インドリン環基、アザインドール環基、アザインドリン環基、イミダゾピリジン環基又はイミダゾピリミジン環基を示し、これらの環は１ないし３個の後述する置換分（ａ）を有していてもよく、
Ｙg は酸素原子又は硫黄原子を示し、
Ｚg は２，４−ジオキソチアゾリジン−５−イリデニルメチル基、２，４−ジオキソチアゾリジン−５−イルメチル基、２，４−ジオキソオキサゾリジン−５−イルメチル基、３，５−ジオキソオキサジアゾリジン−２−イルメチル基又はＮ−ヒドロキシウレイドメチル基を示し、
Ｒg は水素原子、炭素数１ないし４個を有する直鎖状もしくは分枝鎖状のアルキル基、炭素数１ないし４個を有する直鎖状もしくは分枝鎖状のアルコキシ基、ハロゲン原子、ヒドロキシ基、ニトロ基、置換分（ｂ）を有していてもよいアミノ基（該置換分（ｂ）は炭素数１ないし８個を有する直鎖状もしくは分枝鎖状のアルキル基、炭素数７ないし１１個を有する直鎖状もしくは分枝鎖状のアラルキル基、炭素数６ないし１０個を有するアリール基，炭素数１ないし１１個を有する直鎖状もしくは分枝鎖状の脂肪族アシル基、炭素数８ないし１２個を有する芳香脂肪族アシル基又は炭素数７ないし１１個を有する芳香族アシル基を示す。）又は炭素数７ないし１１個を有する直鎖状もしくは分枝鎖状のアラルキル基を示し、
ｍg は１ないし５の整数を示し、
ここに置換分（ａ）は、炭素数１ないし４個を有する直鎖状もしくは分枝鎖状のアルキル基、炭素数１ないし４個を有する直鎖状もしくは分枝鎖状のアルコキシ基、ベンジルオキシ基、ハロゲン原子、ヒドロキシ基、アセトキシ基、フェニルチオ基、炭素数１ないし４個を有する直鎖状もしくは分枝鎖状のアルキルチオ基、トリフルオロメチル基、ニトロ基、置換分（ｂ）を有していてもよいアミノ基（該置換分（ｂ）は炭素数１ないし８個を有する直鎖状もしくは分枝鎖状のアルキル基、炭素数７ないし１１個を有する直鎖状もしくは分枝鎖状のアラルキル基、炭素数６ないし１０個を有するアリール基，炭素数１ないし１１個を有する直鎖状もしくは分枝鎖状の脂肪族アシル基、炭素数８ないし１２個を有する芳香脂肪族アシル基又は炭素数７ないし１１個を有する芳香族アシル基を示す。）、置換分（ｃ）を有していてもよい炭素数６ないし１０個を有するアリール基（該置換分（ｃ）は炭素数１ないし４個を有する直鎖状もしくは分枝鎖状のアルキル基、炭素数１ないし４個を有する直鎖状もしくは分枝鎖状のアルコキシ基、ハロゲン原子、ヒドロキシ基、ニトロ基、フェニル基、トリフルオロメチル基、置換分（ｂ）を有していてもよいアミノ基）、又は置換分（ｃ）を有していてもよい炭素数７ないし１１個を有する直鎖状もしくは分枝鎖状のアラルキル基を示す。］
を有する複素環化合物又はその薬理上許容される塩である自己免疫疾患（但し、Ｉ型糖尿病を除く。）の予防剤又は治療剤。
【請求項１１】
［請求項１］において、インスリン抵抗性改善物質が一般式（ＶＩＩＩ）
【化９】
1998212247.tif 000009
［式中、
Ｘh はベンズイミダゾール環基を示し、該基は１ないし５個の後述する置換分（ａ）を有していてもよく、
Ｙh は酸素原子又は硫黄原子を示し、
Ｚh は２，４−ジオキソチアゾリジン−５−イリデニルメチル基、２，４−ジオキソチアゾリジン−５−イルメチル基、２，４−ジオキソオキサゾリジン−５−イルメチル基、３，５−ジオキソオキサジアゾリジン−２−イルメチル基又はＮ−ヒドロキシウレイドメチル基を示し、
Ｒh は水素原子、炭素数１ないし４個を有する直鎖状もしくは分枝鎖状のアルキル基、炭素数１ないし４個を有する直鎖状もしくは分枝鎖状のアルコキシ基、ハロゲン原子、ヒドロキシ基、ニトロ基、置換分（ｂ）を有していてもよいアミノ基（該置換分（ｂ）は炭素数１ないし８個を有する直鎖状もしくは分枝鎖状のアルキル基、炭素数７ないし１１個を有する直鎖状もしくは分枝鎖状のアラルキル基、炭素数６ないし１０個を有するアリール基、炭素数１ないし１１個を有する直鎖状もしくは分枝鎖状の脂肪族アシル基、炭素数８ないし１２個を有する芳香脂肪族アシル基又は炭素数７ないし１１個を有する芳香族アシル基を示す。）又は炭素数７ないし１１個を有する直鎖状もしくは分枝鎖状のアラルキル基を示し、
ｍh は１ないし５の整数を示し、
ここに置換分（ａ）は、炭素数１ないし４個を有する直鎖状もしくは分枝鎖状のアルキル基、炭素数１ないし４個を有する直鎖状もしくは分枝鎖状のアルコキシ基、ベンジルオキシ基、ハロゲン原子、ヒドロキシ基、アセトキシ基、フェニルチオ基、炭素数１ないし４個を有する直鎖状もしくは分枝鎖状のアルキルチオ基、トリフルオロメチル基、ニトロ基、置換分（ｂ）を有していてもよいアミノ基（該置換分（ｂ）は炭素数１ないし８個を有する直鎖状もしくは分枝鎖状のアルキル基、炭素数７ないし１１個を有する直鎖状もしくは分枝鎖状のアラルキル基、炭素数６ないし１０個を有するアリール基，炭素数１ないし１１個を有する直鎖状もしくは分枝鎖状の脂肪族アシル基、炭素数８ないし１２個を有する芳香脂肪族アシル基又は炭素数７ないし１１個を有する芳香族アシル基を示す。）、置換分（ｃ）を有していてもよい炭素数６ないし１０個を有するアリール基（該置換分（ｃ）は炭素数１ないし４個を有する直鎖状もしくは分枝鎖状のアルキル基、炭素数１ないし４個を有する直鎖状もしくは分枝鎖状のアルコキシ基、ハロゲン原子、ヒドロキシ基、ニトロ基、フェニル基、トリフルオロメチル基、置換分（ｂ）を有していてもよいアミノ基）、又は置換分（ｃ）を有していてもよい炭素数７ないし１１個を有する直鎖状もしくは分枝鎖状のアラルキル基を示す。］
を有する縮合複素環化合物又はその薬理上許容される塩である自己免疫疾患（但し、Ｉ型糖尿病を除く。）の予防剤又は治療剤。
【請求項１２】
［請求項１］において、インスリン抵抗性改善物質が一般式（ＩＸ）
【化１０】
1998212247.tif 000010
［式中、
点線は結合又は結合なしを示し、
Ｖi は−ＣＨ＝ＣＨ−、−Ｎ＝ＣＨ−、−ＣＨ＝Ｎ−もしくはＳであり、
Ｗi はＣＨ2 、ＣＨＯＨ、ＣＯ、Ｃ＝ＮＯＲiもしくはＣＨ＝ＣＨであり、
Ｘi はＳ、Ｏ、ＮＲ1i、−ＣＨ＝Ｎ−もしくは−Ｎ＝ＣＨ−であり、
Ｙi はＣＨもしくはＮであり、
Ｚi は水素、（Ｃ1 〜Ｃ7 ）アルキル、（Ｃ3〜Ｃ7 ）シクロアルキル、フェニル、ナフチル、ピリジル、フリル、チエニル又は同一もしくは異なる（Ｃ1 〜Ｃ3）アルキル、トリフルオロメチル、（Ｃ1 〜Ｃ3 ）アルコキシ、フルオロ、クロルもしくはブロモである基により１置換もしくは２置換されたフェニルであり、
Ｚ1iは水素もしくは（Ｃ1 〜Ｃ3 ）アルキルであり、
Ｒi およびＲ1iはそれぞれ独立して水素もしくはメチルであり、かつｎiは１、２もしくは３である。］
を有する化合物又はその薬理上許容される塩である自己免疫疾患（但し、Ｉ型糖尿病を除く。）の予防剤又は治療剤。
【請求項１３】
［請求項１］において、インスリン抵抗性改善物質が一般式（Ｘ）
【化１１】
1998212247.tif 000011
［上記一般式（Ｘ）中、
【化１２】
1998212247.tif 000012
を表し、
−Ｘj −は−Ｏ−又は−Ｓ−を表し、
＝Ｙj −は＝Ｎ−又は＝ＣＲ5j−を表し、
Ｒ1j、Ｒ2j、Ｒ3j、Ｒ4jおよびＲ5jは、それぞれ独立して水素原子、ハロゲン原子、アルキル基、アリール基、アルコキシ基、アルコキシアルコキシ基、アリールオキシ基、アルカノイルオキシ基、アリールカルボニルオキシ基、カルボキシル基、アルコキシカルボニル基、アリールオキシカルボニル基、カルバモイル基、アルキルアミノカルボニル基、アリールアミノカルボニル基、アミノ基、アルキルアミノ基、アルカノイルアミノ基、アリールカルボニルアミノ基、エチレンジオキシメチル基、ホルミル基、シアノ基、ニトロ基、又はトリハロメチル基を表し、
Ｒ6jは水素原子、置換されていてもよいアルキル基、又は置換されていてもよいアリール基を表し、
ｎj は０〜３の整数を表し、点線は当該部分の結合が二重結合であってもよいことを表す。］
を有するナフタレン誘導体又はその薬理上許容される塩である自己免疫疾患（但し、Ｉ型糖尿病を除く。）の予防剤又は治療剤。
【請求項１４】
［請求項１］において、インスリン抵抗性改善物質が、
５−｛４−［２−（５−エチル−２−ピリジル）エトキシ］ベンジル｝−２，４−チアゾリジンジオン（ピオグリタゾン）、
５−｛４−［２−（Ｎ−メチル−Ｎ−（２−ピリジル）アミノ）エトキシ］ベンジル｝チアゾリジン−２，４−ジオン（ＢＲＬ−４９６５３）、
及び
５−［４−（６−メトキシ−１−メチルベンズイミダゾール−２−イルメトキシ）ベンジル］チアゾリジン−２，４−ジオン（化合物Ｂ）
からなる群から選択された化合物又はその薬理上許容される塩である自己免疫疾患（但し、Ｉ型糖尿病を除く。）の予防剤又は治療剤。
【請求項１５】
［請求項１］ないし［請求項１４］から選択される１項に記載のインスリン抵抗性改善物質を有効成分として含有するリンパ球浸潤抑制作用に起因する自己免疫疾患（但し、Ｉ型糖尿病を除く。）の予防剤又は治療剤。
【請求項１６】
［請求項１］ないし［請求項１４］から選択される１項に記載のインスリン抵抗性改善物質を有効成分として含有する全身性自己免疫疾患（但し、Ｉ型糖尿病を除く。）の予防剤又は治療剤。
【請求項１７】
［請求項１］ないし［請求項１４］から選択される１項に記載のインスリン抵抗性改善物質を有効成分として含有する臓器特異的自己免疫疾患（但し、Ｉ型糖尿病を除く。）の予防剤又は治療剤。
【請求項１８】
［請求項１］ないし［請求項１４］から選択される１項に記載のインスリン抵抗性改善物質を有効成分として含有する慢性関節リウマチの予防剤又は治療剤。
【請求項１９】
［請求項１］ないし［請求項１４］から選択される１項に記載のインスリン抵抗性改善物質を有効成分として含有する若年関節リウマチの予防剤又は治療剤。
【請求項２０】
［請求項１］ないし［請求項１４］から選択される１項に記載のインスリン抵抗性改善物質を有効成分として含有する全身性エリテマトーデスの予防剤又は治療剤。
【請求項２１】
［請求項１］ないし［請求項１４］から選択される１項に記載のインスリン抵抗性改善物質を有効成分として含有する橋本病の予防剤又は治療剤。
【請求項２２】
［請求項１］ないし［請求項１４］から選択される１項に記載のインスリン抵抗性改善物質を有効成分として含有する潰瘍性大腸炎の予防剤又は治療剤。